(57)【特許請求の範囲】
【請求項１】
自機から通信可能範囲内にある携帯電話端末を検索し、交通信号機の状態情報を送信する機能を備えた交通信号機と、前記状態情報を解析しユーザーに音声通知を行う携帯電話端末とから成る無線通信システムにおける携帯電話端末であって、横断歩道を識別する横断歩道ＩＤ番号および交通信号機を識別する信号機ＩＤ番号を保持する領域を有し、横断歩道通行時に両ＩＤ番号の保存を行い、横断歩道通行完了時に両ＩＤ保存領域のクリアを行い、同一横断歩道ＩＤ番号且つ異信号機ＩＤ番号からの再接続時は横断完了の通知をユーザーに対して行い、異横断歩道ＩＤ番号からの接続時は新たに交通信号機の状態をユーザーに対して通知することを特徴とする携帯電話端末。
【発明の詳細な説明】
【０００１】
【発明の属する技術分野】
本発明は無線通信システムに関し、詳しくは視覚障害者が安全に横断歩道を通行することができるようにした無線通信システムに関する。
【０００２】
【従来の技術】
従来から、横断歩道には交通信号機が設けられ、歩行者が安全に通行することができるようにされている。
【０００３】
ところが、視覚障害者などの交通弱者に対しては、通常の交通信号機ではその状態を認識することができず、通行に大変不便である。
【０００４】
そこで、最近では、横断歩道の交通信号機に「押しボタン」が設けられ、この「押しボタン」が押された場合には、たとえば、交通信号機の状態と連動して音楽が流れ、視覚障害者であっても信号機の状態を認識することができるように工夫されたシステムが提供されている。
【０００５】
【発明が解決しようとする課題】
しかしながら、上述の「押しボタン」を用いたシステムの場合、視覚障害者が、その横断歩道の交通信号機の近傍に設けられた「押しボタン」を探し出し、その位置まで行かなければ「押しボタン」を押すことができず、この行為は視覚障害者にとっては大変困難なことである。
【０００６】
本発明は上記の点にかんがみてなされたもので、視覚障害者が容易に且つ安全に横断歩道を渡り通行することができる無線通信システムを提供することを目的とする。
【０００７】
【課題を解決するための手段】
本発明の無線通信システムは上記の目的を達成するために、自機から通信可能範囲内にある携帯電話端末を検索し、交通信号機の状態情報を送信する機能を備えた交通信号機と、前記状態情報を解析しユーザーに音声通知を行う携帯電話端末とから成ることを特徴とする。
【０００８】
【発明の実施の形態】
以下、本発明の実施の形態を図面を参照して説明する。
【０００９】
本発明は、近距離にある端末どうしの通信を実現するブルートゥース（Ｂｌｕｅｔｏｏｔｈ）機能に着目し、このブルートゥース機能を装備した携帯電話端末および交通信号機を用いて、交通弱者が安全に交通信号機のある横断歩道を通行できるシステムを提供するものである。
【００１０】
横断歩道に設置された交通信号機は、ブルートゥース接続範囲内にある携帯電話端末と接続を行い、交通信号機の状態情報を送信する。
【００１１】
この状態情報を受信した携帯電話端末は、横断可能状態（＝信号機が青色）であると判断した場合は音声によりユーザーにその旨を通知し、ユーザーに横断の意思がある場合は誘導を行う。
【００１２】
また、横断不可能状態（＝信号機が赤色）であると判断した場合は、優先的に交通信号機を通行可能状態（＝青色）に変更する要請を交通信号機に対して送信する。その後、横断可能状態（＝青色）に変更されたという通知を受信した携帯電話端末は、音声によりユーザーにその旨を通知し、誘導を行う。
【００１３】
このとき、ユーザーの横断が終了するまでは携帯電話装置内に横断歩道および交通信号機の識別を行うためのＩＤ番号を保存し、同一横断歩道内での重複誘導の防止・他の横断歩道との識別を図る。
【００１４】
また、誘導中に信号機が横断不可能状態（＝赤色）変更した場合は割り込み処理を行い、即座にユーザーに信号が変更した旨を伝える。
【００１５】
図１は、本発明の一実施の形態による無線通信システムの構成を示すブロック図である。
【００１６】
図１に示すように、本実施の形態による無線通信システムは、携帯電話端末１と交通信号機１０とを有して構成される。
【００１７】
図１において、携帯電話端末１は、命令の制御を行う制御部２と、音声の制御を行う音声部３と、最近使用した信号機ＩＤ番号や横断歩道ＩＤ番号および交通信号機用認証キーの保存を行うメモリ４と、ブルートゥース通信の制御を行うＢＴ通信部５と、他の端末とのブルートゥース接続認証を行うＢＴ認証部６と、ユーザーからのキー操作を制御する操作部７とを有して構成される。
【００１８】
また、交通信号機１０は、信号の状態制御を行う制御部１１と、交通信号機１０の状態を検知する検知部１２と、ブルートゥース通信可能な携帯電話端末を検出するＢＴ検出部１３と、ブルートゥース通信の制御を行うＢＴ通信部１４と、携帯電話端末とのブルートゥース接続認証を行うＢＴ認証部１５と、自交通信号機に対応する横断歩道ＩＤ番号および交通信号機用認証キーを保持しておくメモリ１６とを有して構成される。
【００１９】
次に、図１、図２、図３を参照して、本実施の形態の動作について詳細に説明する。
【００２０】
まず、携帯電話端末１の初期設定について説明する。
【００２１】
携帯電話端末１は、自携帯電話端末機に交通信号機１０との通信確立用のブルートゥース認証キー（交通信号機用認証キー）を保持しておく。また、携帯電話端末１の電源ＯＮ時には、ブルートゥースパワーをＯＮにし、交通信号機１０からの接続要求を受け付ける状態としておく。初期電源投入時には、メモリ７内に保持する横断歩道ＩＤ番号および信号機ＩＤ番号の保存領域はＮＵＬＬに初期化しておく。
【００２２】
次に、交通信号機の初期設定について図２を元に説明する。
【００２３】
図２は、交通信号機の初期設定について説明する図である。
【００２４】
図２では、２つの横断歩道２０および２１があり、横断歩道２０の両端には交通信号機１０aおよび１０ｂが設けられ、横断歩道２１の両端には交通信号機１０ｃおよび１０ｄが設けられている場合について説明する。
【００２５】
交通信号機１０ａのメモリ１６には、信号機ＩＤ番号として交通信号機１０ａを示す“Ａ”が保持され、横断歩道ＩＤ番号として横断歩道２０を示す“α”が保持される。
【００２６】
交通信号機１０ｂのメモリ１６には、信号機ＩＤ番号として交通信号機１０ｂを示す“Ｂ”が保持され、横断歩道ＩＤ番号として横断歩道２０を示す“α”が保持される。
【００２７】
交通信号機１０ｃのメモリ１６には、信号機ＩＤ番号として交通信号機１０ｃを示す“Ｃ”が保持され、横断歩道ＩＤ番号として横断歩道２１を示す“β”が保持される。
【００２８】
交通信号機１０ｄのメモリ１６には、信号機ＩＤ番号として交通信号機１０ｄを示す“Ｄ”が保持され、横断歩道ＩＤ番号として横断歩道２１を示す“β”が保持される。
【００２９】
また、交通信号機１０a〜１０ｄのそれぞれは、常にブルートゥースパワーをＯＮにした状態となっている。
【００３０】
次に、交通信号機１０が携帯電話端末１に交通信号情報を送信する動作について説明を行う。
【００３１】
図３は、本実施の形態の動作の流れを示す図である。
【００３２】
交通信号機１０内のＢＴ検出部１３では、定期的にブルートゥース通信可能範囲内にある携帯電話端末１の検出を行う。このとき、ブルートゥース通信は複数の携帯電話端末１を検索し、複数の携帯電話端末１と同時に接続することが可能である。
【００３３】
ＢＴ通信部１２は、検出された携帯電話端末１のＢＴ通信部５に対して接続要求を行う。
【００３４】
接続要求を受けたＢＴ通信部５では、接続先が交通信号機１０であることを識別すると、交通信号機１０のＢＴ通信部１４に対して認証要求を行う。認証要求を受けたＢＴ通信部１４ではＢＴ認証部１５に対して認証命令を通知する。
【００３５】
ＢＴ認証部１５は、交通信号認証キーを携帯電話端末１のＢＴ認証部６に対して送信し、ＢＴ認証部６は予めメモリ４に保存されていた交通信号認証キーを用いて自動的に認証を行う。
【００３６】
認証終了後、ＢＴ認証部６は交通信号機１０のＢＴ通信部１４に対して接続許可を通知する。
【００３７】
接続許可を受けたＢＴ通信部１４は、メモリ１６内に保持している『信号機ＩＤ番号』および『横断歩道ＩＤ番号』を携帯電話端末１のＢＴ通信部５に送信する。ＢＴ通信部５はそのＩＤ番号を制御部２に伝える。以下では、交通信号機１０が、図２に示した交通信号機１０ａである場合について説明する。したがって、ここでは『信号機ＩＤ番号』は“Ａ”であり、『横断歩道ＩＤ番号』は“α”である。
【００３８】
横断歩道ＩＤ番号Ａを受信した携帯電話端末１の制御部２は、メモリ４内のＩＤ番号保存領域に保存されている『信号機ＩＤ番号』および『横断歩道ＩＤ番号』と比較し、以下の処理を行う。
【００３９】
まず、受信した『横断歩道ＩＤ番号』とメモリ４内の『横断歩道ＩＤ番号』とが異なる場合には、ユーザーが新たな横断歩道に近づいたとみなし、以下に説明する（Ａ−８）以降の処理を行う。
【００４０】
また、受信した『横断歩道ＩＤ番号』とメモリ４内の『横断歩道ＩＤ番号』とが同一であり、受信した『信号機ＩＤ番号』とメモリ４内の『信号機ＩＤ番号』とが異なる場合には、ユーザーが横断歩道を渡ってきて渡り終えようとしているとみなし、以下に説明する（Ｂ−８）以降の処理を行う。
【００４１】
また、受信した『横断歩道ＩＤ番号』とメモリ４内の『横断歩道ＩＤ番号』とが同一であり、受信した『信号機ＩＤ番号』とメモリ４内の『信号機ＩＤ番号』とが同一の場合には、既にユーザーから「横断しない」意思を受け取った「同一交通信号機」だとみなし、以下に説明する（Ｃ−８）の処理を行う。
【００４２】
ここで、（Ａ−８）以降の処理について説明する。
【００４３】
上述のように、この処理は、新たな横断歩道の場合の処理である。
【００４４】
まず、（Ａ−８）において、メモリ４内の『横断歩道ＩＤ番号』と異なる『横断歩道ＩＤ番号』を受信した制御部２では、メモリ４内のＩＤ番号保存領域に受信した『横断歩道ＩＤ番号』および『信号機ＩＤ番号』の値を上書きする。
【００４５】
次に、（Ａ−９）において、制御部２は、ＢＴ通信部５を介し、交通信号機１０のＢＴ通信部１４に対して信号状態情報を要求する。
【００４６】
（Ａ−１０）において、信号状態情報の要求を受けたＢＴ通信部１４は、検知部１２により現在の交通信号状態を検知し、その状態情報を携帯電話端末１のＢＴ通信部５に送信する。
【００４７】
（Ａ−１１）において、状態情報を受信したＢＴ通信部５は制御部２に情報を伝え、制御部２は、それが「通行可能状態」を表す信号だと判断すると（Ａ−１２）以降の処理を行う。「通行不可能状態」を表す信号だと判断すると（Ａ−１１−１）以降の処理を行う。
【００４８】
ここで、横断不可能状態である場合の追加処理について説明する。
【００４９】
（Ａ−１１−１）において、通行不可能状態を表す信号だと判断すると、携帯電話端末１の音声部３を使用してユーザーに「通行不可能であること」を音声で知らせる。
【００５０】
また、（Ａ−１１−２）において、ＢＴ通信部５に対して信号変更要請を送信する命令を行う。ＢＴ通信部５は交通信号機１０のＢＴ通信部１４に交通信号の変更要請を送信し、ＢＴ通信部１４はそれを制御部１１に伝える。
【００５１】
（Ａ−１１−３）において、制御部１１では、交通信号の変更処理を行う。
【００５２】
（Ａ−１１−４）において、交通信号機１０の検知部１２は、交通信号が通行可能な状態に変更されたことを検知すると、携帯電話端末１のＢＴ通信部５に交通信号装置の状態情報を送信する。ＢＴ通信部５はその情報を制御部２に伝える。
【００５３】
（Ａ−１２）において、状態情報を受信した携帯電話端末１のＢＴ通信部５は制御部２に情報を伝え、制御部２は、それが通行可能状態を表す信号だと判断すると、音声部３を使用してユーザーに「通行可能であること」および「横断の意思確認」を音声で知らせる。
【００５４】
（Ａ−１３）において、音声により通知を受けたユーザーは、操作部７により「横断する」・「しない」の意思を通知する。操作部７は制御部２に対してその結果を伝える。
【００５５】
（Ａ−１４）において、「横断する」意思を通知された制御部２は、音声部３を介してユーザーに横断するよう指示を出す。ユーザーがブルートゥース通信可能領域を越えるとブルートゥース通信は切断され、再びブルートゥース通信の接続要求を待つ。
【００５６】
（Ａ−１５）において、「横断しない」意思を通知された制御部２は、ユーザーに通信を切断する旨を通知。ブルートゥース通信を切断し、再びブルートゥース通信の接続要求を待つ。
【００５７】
（Ａ−１６）において、以上（Ａ−１２）〜（Ａ−１５）の処理中であっても、交通信号機１０の検知部１２は、交通信号が通行不可能な状態に変更されたことを検知すると、携帯電話端末１のＢＴ通信部５に交通信号装置の状態変更の割り込み通知を行う。ＢＴ通信部５はその情報を制御部２に伝え、（Ａ−１１−１）の処理を行うこととする。
【００５８】
次に、（Ｂ−８）以降の処理について説明する。
【００５９】
（Ｂ−８）において、受信した『横断歩道ＩＤ番号』とメモリ４内の『横断歩道ＩＤ番号』とが同一であり、受信した『信号機ＩＤ番号』とメモリ４内の『信号機ＩＤ番号』とが異なる場合には、携帯電話端末１の制御部２は、横断歩道の通行が終わったとみなし、音声部３を使用してユーザーに通行完了であることを音声で知らせる。
【００６０】
その後、（Ｂ−９）において、メモリ７内の横断歩道ＩＤ番号／信号機ＩＤ番号保存領域をＮＵＬＬに初期化し、ブルートゥース通信を切断する。
【００６１】
次に、（Ｃ−８）の処理について説明する。
【００６２】
（Ｃ−８）において、受信した『横断歩道ＩＤ番号』とメモリ４内の『横断歩道ＩＤ番号』とが同一であり、受信した『信号機ＩＤ番号』とメモリ４内の『信号機ＩＤ番号』とが同一の場合には、携帯電話端末１の制御部２は、既にユーザーから「横断しない」意思を受信済みの交通信号機だとみなし、ブルートゥース通信を確立しない。
【００６３】
【発明の効果】
以上説明したように、本発明によれば、近距離にある端末と通信が可能なブルートゥース機能を装備した携帯電話端末および交通信号機を用いて、交通信号機のある横断歩道を交通弱者が安全に通行できる無線通信システムを提供することができる。
【００６４】
交通信号機は、近隣にある携帯電話端末を検索し、自交通信号機の存在を携帯電話端末に対して通知する。これにより、通知を受けた携帯電話端末はユーザーに信号機の存在を音声通知することが可能となる。
【００６５】
携帯電話端末は、近隣にある交通信号機から信号機の状態を受信・解析することにより、ユーザーに信号機の状態（横断可・不可）を音声通知することが可能となる。
【００６６】
交通信号機が「赤」で通行不可能であった場合は優先的に「青」に変更する要求を送信し、押しボタンを押さずとも信号を変更させることが可能となる。
【００６７】
横断が完了するまで当該横断歩道および交通信号機のＩＤ番号を携帯電話端末内に保存することにより、近くにある他の横断歩道との識別を行うことが可能となる。また、横断中に再度通知を行う等の紛らわしい誘導を避けることが可能となる。
【００６８】
横断が完了するまで当該横断歩道および交通信号機のＩＤ番号を携帯電話端末内に保存することにより、横断が完了したことをユーザーに通知することが可能となる。
【００６９】
誘導中に交通信号機が横断不可能状態（＝赤色）変更した場合は割り込み処理を行うことにより、即座にユーザーに信号が変更した旨を伝えることが可能となる。
【００７０】
上記通信を低電波を使用するブルートゥース通信にて行うことにより、医療機器を所有するユーザーの電波障害を防止することが可能となる。
【図面の簡単な説明】
【図１】本発明の一実施の形態による無線通信システムの構成を示すブロック図である。
【図２】交通信号機の初期設定について説明する図である。
【図３】本実施の形態の動作の流れを示す図である。
【符号の説明】
１  携帯電話端末
２  制御部
３  音声部
４  メモリ
５  ＢＴ通信部
６  ＢＴ認証部
７  操作部
１０  交通信号機
１１  制御部
１２  検知部
１３  ＢＴ検出部
１４  ＢＴ通信部
１５  ＢＴ認証部
１６  メモリ
２０、２１  横断歩道
１０ａ、１０ｂ、１０ｃ、１０ｄ  交通信号機
【図１】
0004385545.tif 000002
【図２】
0004385545.tif 000003
【図３】
0004385545.tif 000004